(57)【特許請求の範囲】
【請求項１】
中央スイッチ(11a)の周囲に複数の領域スイッチ(11)を具えた基板(１)と、
該基板(１)上に取り付けられ、中央スイッチ(11a)に対向する中央押しボタン(22)を具えた支持体(２)と、
中央開口(38)を有するリング部材(30)を具え、前記支持体(２)上に被さって基板(１)へ取り付けられる合成樹脂製の受け体(３)と、
中央孔(46)を有する枠体形状に形成され該中央孔(46)に前記中央押しボタン(22)を余裕を存して嵌め、枠体表面を複数の押し領域(40)に区画し、該枠体は前記受け体(３)の中央開口(38)に余裕を存して嵌められている合成樹脂製の押し部材(４)とから構成され、
押し部材(４)の下面には受け部材(３)の中央開口(38)を通って下端が基板(１)の領域スイッチ(11)に対応する複数の押し片(43)を突設し、押し部材(４)の押し領域(40)毎に、受け体(３)には、該領域に対応して中央開口(38)へ突出するバネ片(37)を一体に形成し、押し部材(４)には、該バネ片(37)を押圧する当り片(44)を一体に具え、前記バネ片(37)が押し部材(４)を押し上げ付勢し、
押し部材(４)の押し領域(40)毎に、押し部材(４)の外周縁と受け体(３)には、一方には受け片(36)、他方には該受け片(36)に係合する抜止め片(41)を設けて、押し部材(４)を受け体(３)に対して平行に支持すると共に、押し部材(４)の摺動と傾動の範囲を規制しており、押し部材(４)の任意の押し領域(40)を押せば、押し部材(４)全体が傾いて押圧した領域(40)に対応する領域スイッチ(11)を動作させるスイッチ構造。
【請求項２】
押し部材(４)は４つの押し領域(40)に区画され、受け体(３)には、リング部材(30)の内周面に等間隔に２組の各突片(32)(32)及び(33)(33)が夫々互いに相対向する位置関係に内向き水平に突設され、押し部材(４)に突設された爪片(42)付きの抜止め片(41)が嵌まる孔(35)及び押し片(43)が嵌まる孔(34)が２組の各突片(32)(32)及び(33)(33)に開設され、対向する１組の各突片(33)(33)から両側方へ向けて一対の支え片(37a)が突設され、該支え片(37a)は、押し部材(４)の下面に突設された当り片(44)に当接することにより、押し部材(４)を押し上げ付勢するバネ片(37)となっている請求項１に記載のスイッチ構造。
【請求項３】
押し部材(４)の押し片(43)は、押し領域(40)毎に配備され、隣り合う各押し片(43)(43)間に当り片(44)が位置している請求項１又は２に記載のスイッチ構造。
【請求項４】
抜止め片(41)、押し片(43)及び当り片(44)は、合成樹脂にて押し部材(４)と一体成形されている請求項１乃至３の何れかに記載のスイッチ構造。
【発明の詳細な説明】
【０００１】
【発明の属する分野】
本発明は、プロジェクター等に実施されるスイッチ構造に関するものである。
【０００２】
【従来の技術及び発明が解決しようとする課題】
従来より、スイッチ構造において、円形の大型押しボタンの表面を周方向に複数の押し領域に区画し、何れか１つの押し領域を押すことによって、押しボタン全体を押し側に傾けて、対応するスイッチを動作させることが実施されている。
これは、押しボタンの中心にボタンの揺動中心を位置させて構成できるから、技術的に問題はない。
【０００３】
ところが、１つの押しボタンを包囲して、リング状に一体化した押しボタンを配備し、該リング状押しボタンの表面を複数の押し領域に区画した場合、押し領域毎に異なるスイッチの何れかを操作するために、リング状押しボタン全体を傾動させる場合、中央に別個のスイッチが位置しているため、リング状押しボタンの傾動支点の位置は、押しボタンの中心に配置することは出来ない。
このため、環状に配置した複数のスイッチは夫々独立したものとせざるを得ず、部品点数が増えて組立も手間が掛かり、又、デザイン的にもスッキリとしない問題があった。
【０００４】
本発明は、１つの押しボタンを包囲して、枠状に一体化した押し部材を配備し、該枠状押し部材の表面を複数の押し領域に区画して、押し領域毎に異なるスイッチ操作が可能なスイッチ構造を明らかにするものである。
【０００５】
【課題を解決する手段】
本発明は、中央スイッチ(11a)の周囲に複数の領域スイッチ(11)を具えた基板(１)と、
該基板(１)上に取り付けられ、中央スイッチ(11a)に対向する中央押しボタン(22)を具えた支持体(２)と、
中央開口(38)を有するリング部材(30)を具え、前記支持体(２)上に被さって基板(１)へ取り付けられる合成樹脂製の受け体(３)と、
中央孔(46)を有する枠体形状に形成され該中央孔(46)に前記中央押しボタン(22)を余裕を存して嵌め、枠体表面を複数の押し領域(40)に区画し、該枠体は前記受け体(３)の中央開口(38)に余裕を存して嵌められている合成樹脂製の押し部材(４)とから構成され、
押し部材(４)の下面には受け部材(３)の中央開口(38)を通って下端が基板(１)の領域スイッチ(11)に対応する複数の押し片(43)を突設し、押し部材(４)の押し領域(40)毎に、受け体(３)には、該領域に対応して中央開口(38)へ突出するバネ片(37)を一体に形成し、押し部材(４)は、該バネ片(37)を押圧する当り片(44)を一体に具え、前記バネ片(37)が押し部材(４)を押し上げ付勢し、
押し部材(４)の押し領域(40)毎に、押し部材(４)の外周縁と受け体(３)には、一方には受け片(36)、他方には該受け片(36)に係合する爪片(42)を設けて、押し部材(４)を受け体(３)に対して平行に支持すると共に、押し部材(４)の摺動と傾動の範囲を規制しており、押し部材(４)の任意の押し領域(40)を押せば、押し部材(４)全体が傾いて対応する領域スイッチ(11)を動作させる。
【０００６】
【作用及び効果】
枠状の押し部材(４)の表面を複数の押し領域(40)(40)に区画し、押し領域(40)(40)毎に、異なる領域スイッチ(11)(11)の操作ができる。夫々独立した押しボタンでスイッチ操作する従来のスイッチ構造に較べて、部品点数を減らすことができ、又、組立も簡単である。
更に、枠状に一体化した押し部材(４)は、独立した押しボタンを円陣に配列することに較べてデザイン的にスッキリする。
【０００７】
【発明の実施の形態】
図１は、プロジェクターのスイッチ部分の分解斜面図である。
本発明のスイッチ構造は、スイッチ(11)(11a)(11b)群を配置したプリント配線基板(１)に、押しボタン群を具えた支持体(２)を被せ、該支持体(２)の上に受け体(３)を介して押し部材(４)をセットしている。
図１において、基板(１)及び支持体(２)は、斜め上方から見下ろした図であるが、受け体(３)及び押し部材(４)は、斜め下から見上げた図である。
【０００８】
支持体(２)は、押しボタン(22)(23)(25)(26)、及び後記する受け体(３)及び押し部材(４)の配置箇所以外の部分は化粧板(図示せず)で覆われている。
支持体(２)は、矩形フレーム(21)の中央部に５個の押しボタン(22)(23)、左右に夫々３個ずつの押しボタン(25)、更に一側縁外側に１つの押しボタン(26)を具え、これら押しボタン(22)(23)(25)(26)が夫々弾性支え片(24)に支えられてフレーム(21)と同一面で支持されている。
支持体(２)は全体が合成樹脂にて一体成形されている。
【０００９】
フレーム(21)中央の５つの押しボタン(22)(23)は、正方形の中心とその４隅に位置する様に配置されている。
基板(１)の上には上記支持体(２)の各押しボタン(22)(23)(25)(26)との対応位置に機能スイッチ(11a)(11b)が配置されている。
又、基板(１)上には、中央の機能スイッチ(11a)を囲むようにして、後記する押し部材(４)の４個の押し片(43)に対向して領域スイッチ(11)が配備されている。
【００１０】
受け体(３)は、中央に開口(38)を形成したリング部材(30)の外周面に前記押しボタン(23)が嵌まる半円状の４つの凹み部(31)を凹設し、内周面に等間隔に４つの突片(32)(32)、(33)(33)を内向き水平に突設している。
各突片(32)(33)の基端には、後記する押し部材(４)の抜止め片(41)が嵌まる孔(35)及び中央部に押し部材(４)の押し片(43)が嵌まる孔(34)が開設されている。
【００１１】
又、対向する１組の突片(33)(33)の先端部から両側に薄肉の支え片(37a)(37a)が突設され、該支え片(37a)は、押し部材(４)を押し上げ付勢するバネ片(37)となる。
リング部材(30)には、突片(32)(33)の基端の孔(35)に接近して、受け片(36)が下向きに突設されている。
４つの突片(32)(32)(33)(33)の先端間には、前記中央の押しボタン(22)が嵌まる余裕がある空間を形成している。
上記受け体(３)は、全体が合成樹脂にて一体成形されている。
【００１２】
押し部材(４)は、受け体(３)のリング部材(30)に少し余裕のある状態に嵌まるリング状に形成され、中央には上記押しボタン(22)が嵌まる孔(46)を形成している。
図３に示す如く、押し部材(４)の上面に、該押し部材(４)の表面を等間隔に４つの押し領域(40)(40)(40)(40)に区画する線(45)(45)(45)(45)が施されている。
【００１３】
押し部材(４)の下面には、各押し領域(40)の中央位置に対応して、前記受け体(３)の各突片(32)(33)の孔(34)に嵌まる４本の押し片(43)、受け体(３)の支え片(37a)に当たる４本の当り片(44)、外周縁に受け体(３)の各突片(32)(33)の孔(35)に嵌まる４本の抜止め片(41)が夫々押し部材(４)の軸心方向に沿って下向きに突設されている。  抜止め片(41)の先端には、受け体(３)の受け片(36)に引っ掛かって押し部材(４)が受け体(３)から脱出することを防止する爪片(42)が突設されている。
【００１４】
押し部材(４)を受け体(３)に嵌めて、爪片(42)が受け片(36)に引っ掛かった状態のとき、４本の押し片(43)は受け体(３)の突片(32)(33)から下方に、夫々同じ長さだけ臨出する。４つの当り片(44)の先端は、夫々受け体(３)の支え片(37a)に当たって、該支え片(37a)を少し下方に撓ませている。この状態で押し部材(４)と各突片(32)(33)との間には押し片(43)がスイッチ(11)を動作させるために必要な押し代に対して十分なクリアランスが確保されている。
４つの当り片(44)と４つの支え片(37a)との接触位置は、互いに略９０゜離れており、押し部材(４)は、偏りなく基板(１)から離れる方向に押し上げ付勢されている。
上記押し部材(４)は、全体が合成樹脂にて一体成形されている。
【００１５】
然して、受け体(３)を支持体(２)の上に被せて組み立て、その組立体を基板(１)に固定する。固定方法は問わないが、例えば受け体(３)の裏面にビス用ボス(図示せず)を設け、基板(１)の裏面から表側へ貫通させたビスを該ボスに螺合して取り付けできる。
【００１６】
受け体(３)に押し部材(４)を嵌め込み、押し部材(４)の押し片(43)及び抜止め片(41)を、受け体(３)の突片(32)(33)に開設された孔(34)(35)に嵌め込む。抜止め片(41)は先端の爪片(42)が受け片(36)の内面に接して弾性変形しながら下降し、爪片(42)が受け片(36)の下に達すると弾性復帰して爪片(42)が受け片(36)に引っ掛かる。
押し部材(４)の当り片(44)は受け体(３)の支え片(37a)を少し押して撓ませる。
【００１７】
押し部材(４)の４つの押し領域(40)の何れか１つを押すと、該押し領域(40)下面の押し片(43)の両側に位置する当り片(44)(44)が、夫々に接する支え片(37a)(37a)を下方に押して大きく撓ませ、押した領域の反対側の抜止め片(41)と受け体(３)の引っ掛かりを中心にして押し部材(４)が傾いて押圧側の押し片(43)は、その下端に対向配備された領域スイッチ(11)を動作させる。
押し部材(４)への押圧を解除すると、支え片(37a)が弾性復帰して押し部材(４)は受け体(３)に対して平行姿勢に戻る。
【００１８】
枠状の押し部材(４)に区画された押し領域(40)(40)毎に、異なる領域スイッチ(11)の操作ができるため、夫々独立した押しボタンでスイッチ操作するスイッチ構造に較べて、部品点数を減らすことができ、又、押し部材(４)を受け体(３)に嵌め込むだけてよいから組立も簡単である。
更に、枠状に連続した押し部材(４)は、独立した押しボタンを配列することに較べてデザイン的にスッキリとする。
【００１９】
尚、本発明の実施に際し、押し部材(４)はリング状に限らず、押し領域が４つの場合は、四角形状枠体、押し領域が５つの場合は、五角形等、１つの押しボタン(22)を包囲して無端状に繋がった枠体形状であればよい。
【００２０】
更に、実施例では、押し部材(４)に抜けめ片(41)を形成し、受け体(３)に該抜止め片(41)の爪片(42)に引っ掛かる受け片(36)を形成したが、受け体(３)に抜止め片を形成し、押し部材(４)に該抜止め片先端の爪片に引っ掛かる受け片を形成することもできる。
【００２１】
本発明は上記実施例の構成に限定されることはなく、特許請求の範囲に記載の範囲で種々の変形が可能である。
【図面の簡単な説明】
【図１】基板、支持体、受け体及び押し部材の分解斜面図である。
【図２】受け体及び押し部材を斜め下方から見上げた状態の斜面図である。
【図３】受け体及び押し部材を斜め上方から見下ろした状態の斜面図である。
【図４】受け体と押し部材の組立状態の断面図である。
【符号の説明】
(１)  基板
(２)  支持体
(22)  押しボタン
(３)  受け体
(37)  バネ
(37a)  支え片
(４)  押し部材
(40)  押し領域
(41)  抜止め片
(42)  爪片
(43)  押し片
(44)  当り片
【図１】
0003663097.tif 000002
【図２】
0003663097.tif 000003
【図３】
0003663097.tif 000004
【図４】
0003663097.tif 000005